(57)【要約】【課題】受信環境の悪化に伴う映像の乱れを、ユーザに違和感を与えることなく、目立たないようにした映像劣化軽減装置を提供する。【解決手段】映像劣化の度合いを検出する映像劣化度合い検出手段１１と、映像劣化度合い検出手段１１により映像劣化度合いが増大することが検出されたとき、逆直交変換部３での逆直交変換演算処理における高周波成分を減衰させる高周波成分減衰手段１２と、から構成する。【選択図】　　　図１
2004112200.tif 000002
【特許請求の範囲】
【請求項１】
復調後の受信映像信号を入力する逆量子化部と、該逆量子化部から出力された逆量子化信号を復号映像信号に変換する逆直交変換部とを備えるデジタルテレビ放送受信機において前記復号映像信号により表示される映像の劣化を軽減するための映像劣化軽減方法であって、
前記の映像劣化の度合いを検出する第１ステップと、
前記第１ステップにより検出された映像劣化度合いが増大するのに応じて、前記逆直交変換部での逆直交変換演算処理における高周波成分を減衰させる第２ステップと、
を有することを特徴とするデジタルテレビ放送受信機における映像劣化軽減方法。
【請求項２】
前記第２ステップは、前記高周波成分を粗く抽出するか、または、該高周波成分を完全にカットする請求項１に記載の映像劣化軽減方法。
【請求項３】
前記第１ステップは、前記受信映像信号のＣ／Ｎ比のレベル、該Ｃ／Ｎ比の変化量、前記受信映像信号に含まれるデータ誤りについての誤り検出数／誤り訂正数、および該誤り検出数／誤り訂正数の変化量のうちの少なくとも１つを監視することにより、前記映像劣化の度合いを検出する請求項１に記載の映像劣化軽減方法。
【請求項４】
前記第１ステップにおいて、前記映像劣化の度合いを検出する判定基準を外部条件に応じて可変とし、該外部条件は、ユーザからの設定値、当該デジタルテレビ放送受信機を搭載する車両の走行速度、該車両の走行場所、およびユーザが受信中の放送チャンネルのうちの少なくとも１つの条件によって定める請求項１に記載の映像劣化軽減方法。
【請求項５】
復調後の受信映像信号を入力する逆量子化部と、該逆量子化部から出力された逆量子化信号を復号映像信号に変換する逆直交変換部とを備えるデジタルテレビ放送受信機において前記復号映像信号により表示される映像の劣化を軽減するための映像劣化軽減装置であって、
前記映像劣化の度合いを検出する映像劣化度合い検出手段と、
前記映像劣化度合い検出手段により映像劣化度合いが増大することが検出されたとき、前記逆直交変換部での逆直交変換演算処理における高周波成分を減衰させる高周波成分減衰手段と、
からなることを特徴とする映像劣化軽減装置。
【請求項６】
前記高周波成分減衰手段は量子化ステップ補正部からなり、該量子化ステップ補正部は前記逆直交変換演算処理を、低減された量子化ステップで行わせる請求項５に記載の映像劣化軽減装置。
【請求項７】
前記量子化ステップ補正部は、前記量子化ステップをより小さくするか、またはゼロに補正する請求項６に記載の映像劣化軽減装置。
【請求項８】
前記量子化ステップ補正部は、前記量子化ステップを低減するための予め定めた量子化ステップ補正係数を複数種格納する補正メモリからなり、該補正メモリからの対応する量子化ステップ補正係数の読出しを、前記映像劣化度合い検出手段からの検出出力に従って行う請求項６に記載の映像劣化軽減装置。
【請求項９】
前記映像劣化度合い検出手段は、前記デジタルテレビ放送受信機が有するチューナから得た前記受信映像信号のＣ／Ｎ比のレベルを監視して、前記映像劣化度合いを検出する請求項５に記載の映像劣化軽減装置。
【請求項１０】
前記受信映像信号のＣ／Ｎ比のレベルが時間的に変化する変化量を検出する変化量検出回路をさらに備え、該変化量検出回路の出力によって前記映像劣化度合いを検出する請求項９に記載の映像劣化軽減装置。
【請求項１１】
前記映像劣化度合い検出手段は、前記デジタルテレビ放送受信機が有する誤り訂正回路から得た、前記受信映像信号に含まれるデータ誤りについての誤り検出数／誤り訂正数を監視して、前記映像劣化度合いを検出する請求項５に記載の映像劣化軽減装置。
【請求項１２】
前記受信映像信号に含まれるデータ誤りについての誤り検出数／誤り訂正数が時間的に変化する変化量を検出する変化量検出回路をさらに備え、該変化量検出回路の出力によって前記映像劣化度合いを検出する請求項１１に記載の映像劣化軽減装置。
【請求項１３】
ＣＰＵを備え、
ユーザからの設定情報、当該デジタルテレビ放送受信機を搭載する車両の走行速度情報、該車両の走行場所情報、およびユーザが受信中の放送チャンネル情報のうちの少なくとも１つの情報を、外部条件として前記ＣＰＵに入力し、該ＣＰＵは、該外部条件に従って前記映像劣化度合い判定基準を可変に設定する請求項５に記載の映像劣化軽減装置。
【発明の詳細な説明】
【０００１】
【発明の属する技術分野】
本発明は、デジタルテレビ放送受信機に関し、さらに具体的には、そのデジタルテレビ放送受信機における映像劣化軽減方法および装置に関する。
【０００２】
【従来の技術】
デジタルテレビ放送は、アナログ放送に比べて周波数利用効率が高く、高品質化や多チャンネル化が可能となる。しかしその高品質化に着目すると、受信環境によってはその高品質化を十分に維持できない場合がある。例えば、当該受信機が、車載用のデジタルテレビ放送受信機であるような場合である。
【０００３】
車載用のデジタルテレビ放送受信機（以下、単に受信機とも称す）においては、その車両の移動に伴って受信環境は時々刻々変化し、当該受信機により再生される映像が劣化してしまうことがある。例えば、その車両がビルや山等の電波遮蔽／反射物体に接近したり、その走行速度が変化したりする等の場合、放送局からの受信電波は急峻に変動したりあるいは瞬断を生じることがある。このように車両の受信環境が悪化すると、受信機の表示映像は著しく乱れてしまい、ユーザに不快感を与えてしまう。
【０００４】
本発明に関連する従来技術としては、特許文献１がある。
【０００５】
後に詳述するとおり、本発明にあっては、テレビ放送の受信側においてＤＣＴ（Ｄｉｓｃｒｅｔｅ　Ｃｏｓｉｎｅ　Ｔｒａｎｓｆｏｒｍ）復調処理に工夫を施して、映像画質の劣化を軽減するものである。
【０００６】
これに対し上記特許文献１に開示される発明は、送信側における符号化処理に工夫を施して画質の劣化を最小限にとどめることを要旨とするものである。したがって、特許文献１は送信側に適用するものであって、本発明のように受信側に適用するものとは異なる。ちなみに、特許文献１は、ビット発生量を抑え、かつ画質劣化を最小限にとどめるべく、符号化時（送信時）に高域側の係数をゼロにすることを特徴とするものである。
【０００７】
しかし従来技術として最も一般的な方法は、受信環境の悪化によって映像劣化が生じたと判断したとき、即座に、前画面（直前の画面）フリーズとしたりあるいは予め用意したメッセージ画面等に置き換えて表示する、という方法であり、広く利用されている。
【０００８】
【特許文献１】
特開平９−２３４２７号公報（請求項１および２）
【０００９】
【発明が解決しようとする課題】
しかしながら、映像劣化時とはいえ、上記従来技術のように、前画面フリーズとしたりあるいはメッセージ画面としたりすると、テレビ映像としての自然さが損なわれ、ユーザにとっては非常に違和感がある、という問題がある。
【００１０】
したがって本発明は、映像劣化時に映像が乱れた場合、ユーザに与える違和感を極力抑えて安定した映像を表示することのできる、デジタルテレビ放送受信機における映像劣化軽減方法および装置を提供することを目的とするものである。
【００１１】
【課題を解決するための手段】
図１は本発明に係る映像劣化軽減装置の基本構成を示す図である。
【００１２】
図１において、本発明に係る映像劣化軽減装置１０は、復調後の受信映像信号Ｓｉｎを入力する逆量子化部２と、この逆量子化部２から出力された逆量子化信号Ｓｑを復号映像信号Ｓｏｕｔに変換する逆直交変換部３とを備えるデジタルテレビ放送受信機１においてその復号映像信号Ｓｏｕｔにより表示される映像の劣化を軽減するための映像劣化軽減装置である。
【００１３】
この映像劣化軽減装置１０は、映像劣化度合い検出手段１１と高周波成分減衰手段１２とからなる。
【００１４】
映像劣化度合い検出手段１１は、映像劣化の度合いを検出するものである。
【００１５】
また、高周波成分減衰手段１２は、映像劣化度合い検出手段１１により映像劣化度合いが増大することが検出されたとき、逆直交変換部３での逆直交変換演算処理における高周波成分を減衰させるものである。
【００１６】
図１に示す映像劣化軽減装置１０の動作を方法ステップとして表現すると、図２のようになる。
【００１７】
図２は本発明に係る映像劣化軽減方法の基本ステップを示す図である。
【００１８】
図２において、第１ステップＳ１１では、映像劣化の度合いを検出し、
第２ステップＳ１２では、第１ステップＳ１１により検出された映像劣化度合いが増大するのに応じて、逆直交変換部３での逆直交変換演算処理における高周波成分を減衰させる。
【００１９】
上述した本発明の装置および方法は次の３つの事実に着目して考案されている。
【００２０】
（ｉ）映像劣化をもたらすノイズは、直交変換したときに、ＤＣ成分から遠い高周波成分側に集中しやすい。
【００２１】
（ｉｉ）一般に、逆量子化信号Ｓｑの高周波成分をカットしても、ユーザから見てそれ程映像の自然さを失うことはない。
【００２２】
（ｉｉｉ）映像が劣化するか否かは、受信機１内の例えばチューナや誤り訂正回路（後述）において、すなわち逆量子化部２の前段において信号監視を行うことにより、事前に予測できる。
【００２３】
本発明によれば、受信機１の受信環境が悪化して本来なら画像が劣化してしまうところ、特に上記（ｉ）および（ｉｉ）の着眼によって、ユーザにとって違和感なくテレビ画像の自然さを保つことができる。
【００２４】
【発明の実施の形態】
まず初めに本発明が適用されるデジタルテレビ放送受信機１の具体例を説明する。
【００２５】
図３はデジタルテレビ放送受信機１の全体構成例を示す図であり、
図４は図３におけるブロック２０の内部を詳細に示す図である。なお全図を通じて、同様の構成要素には、同一の参照番号または記号を付して示す。
【００２６】
図３および図４はデジタルテレビ放送受信側の構成を示すものであるから、その説明の前に、他方の送信側（デジタルテレビ放送局）について簡単に触れておく。なお、以下の説明においては、前述した「直交変換」として、その代表をなす「ＤＣＴ変換」を例にとって述べる。
【００２７】
上記送信側の構成において、本発明と関連のある構成部分は、ＤＣＴ変換部、量子化部およびエントロピー符号化部である。
【００２８】
まずＤＣＴ変換部について説明する。画像を周波数で処理することを考えると、画像の中で周波数の高い成分とは、細かい図柄が多く明暗の差が大きい箇所であり、周波数の低い部分とは、大まかな図柄が占め明暗の差があまりない箇所を指す。一般に、画像の高周波成分が欠けていても、それほど画像品質の劣化を感じることはない。従って画像データを周波数成分に変換し、その高周波成分を省くことにより画像劣化を最小限に抑えながらデータ量を少なくすることができる。ＤＣＴ変換はＤＣＴブロックと呼ぶ８×８画素から構成されるブロック単位（２次元配列）で行い６４個のＤＣＴ変換係数を生成する。
【００２９】
次に量子化部について説明する。ＤＣＴ変換で生成されたＤＣＴ変換係数は量子化と呼ぶ手続きを経て精度を制限される。これはあらかじめ定められた量子化テーブルに用意された因数でＤＣＴ変換係数を割った整数値で丸められる。量子化テーブルの因数は空間周波数が高いほど大きくなり、実際に量子化を行うと量子化変換されたＤＣＴ係数は、その大部分が０になるようになっている。すなわちこの量子化の手続きにより、画像における冗長度が省略される。
【００３０】
さらにエントロピー符号化（ハフマン符号化）部について説明する。ハフマン符号化とは、発生確率の高いデータに対しては短い符号長の符号語を割り当てることによって平均符号長（データ量）を小さくしようとする可逆圧縮手法である。ＤＣＴ変換および量子化されたデータ列（２次元配列）は、その大部分が０となっている（発生確率が高い）。さらにハフマン符号前処理としてＤＣＴブロックをジグザグ変換（１次元配列）すると高能率圧縮が可能となる。
【００３１】
図３に戻ると、デジタルテレビ放送はアンテナＡＮＴにて受信され、チューナ４にて選局される。チューナ４から出力されたＱＰＳＫ等の変調受信信号は、デジタル復調回路５に入力され、ここでデジタル復調される。さらに次段の誤り訂正回路６にて、例えばリードソロモンによる誤り訂正が行われた後、スクランブル解除回路７において、有料放送受信等のために付与された所定のキーにより、デスクランブルされる。
【００３２】
圧縮のためＭＰＥＧ−ＳＹＳＴＥＭ規格により多重化された受信信号（受信データ）は、そのスクランブル解除回路７を経た後、データ多重分離回路８にて、ＭＰＥＧオーディオ信号とＭＰＥＧビデオ信号Ａとに分離され、前者の信号はＭＰＥＧオーディオデコーダ９にてベースバンドのオーディオ信号にデコードされてスピーカに印加され、後者の信号はＭＰＥＧビデオデコーダ２０にてベースバンドのビデオ信号Ｃにデコードされてディスプレイに印加される。本発明は主としてこのＭＰＥＧビデオデコーダ２０に関係し、これを図４に示す。
【００３３】
図４を参照すると、このＭＰＥＧビデオデコーダ２０は、図示する５つのブロックにて表されている。このうち、逆量子化器２３は図１に示す逆量子化部２に相当し、逆ＤＣＴ変換器２５は図１に示す逆直交変換部３に相当する。
【００３４】
図３のＭＰＥＧビデオ信号Ａ、すなわち圧縮ビデオデータは、図４においてエントロピー復号化器２１に印加されて、量子化特性値を取り出すための指標である量子化インデックスに戻される。次に逆量子化器２３にて逆量子化され、さらに、別に復号化された送信側からのＤＣＴ係数と共に、逆ＤＣＴ変換器２５にて逆ＤＣＴ変換され、図３にも示すベースバンドのビデオ信号Ｃ、すなわち復号ビデオデータとなる。この復号ビデオデータが、本発明が対象とする既述の映像を形成する。
【００３５】
上記のエントロピー復号化器２１および逆量子化器２３は、それぞれ第１テーブル２２および第２テーブル２４と連携して動作する。これらはＭＰＥＧビデオデコーダ２０における復号動作のために必要なテーブル情報であり、それぞれ、ハフマンテーブル（２２）および量子化テーブル（２４）である。これらは送信側から送られてくるものであり、圧縮ビデオデータＡの中から抽出される。
【００３６】
この図４において注目すべき情報は、劣化軽減情報Ｂであり、これは図３にも示されていて、映像劣化度合い検出回路２６より出力される。該回路２６は、図１に示す映像劣化度合い検出手段１１に相当する。
【００３７】
この図４の劣化軽減情報Ｂは、前述した高周波成分を粗く抽出するか、または、この高周波成分を完全にカットするように制御する情報であり、上記映像劣化度合い検出回路２６によって生成される。この検出のために、
（ｉ）受信映像信号ＳｉｎのＣ／Ｎ比のレベル、
（ｉｉ）該Ｃ／Ｎ比の変化量、
（ｉｉｉ）受信映像信号Ｓｉｎに含まれるデータ誤りについての誤り検出数／誤り訂正数、および
（ｉｖ）その誤り検出数／誤り訂正数の変化量
のうちの少なくとも１つを監視することにより、映像劣化の度合いを検出する。
【００３８】
さらに好ましくは、上記映像劣化の度合いを検出する判定基準を外部条件に応じて可変とし、この外部条件は、
（ｉ）ユーザからの設定値、
（ｉｉ）当該デジタルテレビ放送受信機１を搭載する車両の走行速度、
（ｉｉｉ）該車両の走行場所、および
（ｉｖ）ユーザが受信中の放送チャンネル
のうちの少なくとも１つの条件によって定めるようにする。
【００３９】
図５は本発明による画像劣化軽減の様子を表す図である。
【００４０】
本図において、参照番号３１は、逆量子化器２３からの逆量子された８画素×８画素（ｂ１〜ｂ６４）の画像を示し、３２は逆ＤＣＴ変換器２５での逆ＤＣＴ変換後の伸長された８画素×８画素（ａ１〜ａ６４）の原画像を示す。
【００４１】
画像３１に着目すると、マトリクス（ｂ１〜ｂ６４）の左上端はＤＣでありその周辺は低周波成分である。そこから右下端に至る程高周波成分が増大する。ここにはノイズ成分が多く含まれる。図では、ＤＣＴ復調処理過程でのジグザグスキャンなどによる高周波成分、すなわちノイズ成分を多く含む領域を、点線の三角形３３で表す。
【００４２】
かくして高周波成分のＤＣＴ復調処理は制限され、画像劣化を抑圧した画像（ａ１〜ａ６４）３２により再生された映像をディスプレイ上に得ることができる。そのための高周波成分減衰手段１２（図１）は、図５では量子化ステップ補正部３４として示されている。すなわち、高周波成分減衰手段１２は量子化ステップ補正部３４からなり、この量子化ステップ補正部３４は逆ＤＣＴ変換演算処理を低減された量子化ステップで行わせる。以下、この量子化ステップ補正部３４と映像劣化度合い検出回路２６（図３）とを組み合わせた各種実施例１〜５を示す。この場合、量子化ステップ補正部３４は、基本的に、前述の量子化ステップをより小さくするか、またはゼロに補正する。
【００４３】
図６は本発明に係る実施例１を示す図である。
【００４４】
本図において、量子化ステップ補正部３４は、量子化ステップを低減するための予め定めた量子化ステップ補正係数を複数種格納する補正メモリ３５からなり、この補正メモリ３５からの対応する量子化ステップ補正係数の読出しを、前述した映像劣化度合い検出手段１１からの検出出力に従って行う。
【００４５】
この場合、その映像劣化度合い検出手段は図３の映像劣化度合い検出回路２６からなり、該回路２６は、デジタルテレビ放送受信機１が有するチューナ４から、信号線ｃを介して得た受信映像信号ＳｉｎのＣ／Ｎ比のレベルを監視して、前記映像劣化度合いを検出する。
【００４６】
上記Ｃ／Ｎ比のレベルはアナログ信号としてチューナ４より与えられるので、Ａ／Ｄ変換器３６にて例えば８ビットのデジタル信号に変換する。そしてこのデジタル信号のデジタル値をアドレスとして、補正メモリ３５よりそのＣ／Ｎ比のレベルに対応する量子化ステップ補正係数を読み出す。この読み出された係数が既述した劣化軽減情報Ｂとなる。
【００４７】
図７は本発明に係る実施例２を示す図である。
【００４８】
実施例２は、実施例１に対し変化量検出回路３７を付加した点でその実施例１とは異なる。
【００４９】
すなわち実施例２は、受信映像信号ＳｉｎのＣ／Ｎ比のレベルが時間的に変化する変化量を検出する変化量検出回路３７をさらに備え、この変化量検出回路３７の出力によって映像劣化度合いを検出する。
【００５０】
一般に受信環境が強電界下にあるときＣ／Ｎ比のレベルは安定しているが、ビルとか山での電波の反射があると、Ｃ／Ｎ比のレベルは急激に変動する。したがってこの変動の変化量を見つけて映像劣化を検出することができる。そのとき変化量が大きい程、映像劣化の度合いは大きくなる。
【００５１】
上記の変化量は、Ｃ／Ｎ比のレベルの時間的変化から検出できるので、絶対値回路（ＡＢＳ）４２を設け、１単位時間前のＣ／Ｎ比のレベルを遅延回路４１より得てこれを該回路４２の第１入力とし、今得られたＣ／Ｎ比のレベルをそのまま該回路４２の第２入力として、両入力間の差を該回路４２の出力より得て、その差の値を補正メモリ３５に対する読出しアドレスとする。なお、Ｃ／Ｎ比のレベルの変化は、急激に立下がるとき（−）と、再び急激に立上がるとき（＋）の両極性があるから、上記差は絶対値をとって表す。
【００５２】
図８は本発明に係る実施例３を示す図である。
【００５３】
この実施例３は、実施例１および２がＣ／Ｎ比のレベルを検出パラメータとするのに対し、誤り検出数／誤り訂正数を検出パラメータとする。
【００５４】
すなわち、映像劣化度合い検出回路２６は、デジタルテレビ放送受信機１が有する誤り訂正回路６から信号線ｅを介して得た、受信映像信号Ｓｉｎに含まれるデータ誤りについての誤り検出数／誤り訂正数を監視して、映像劣化度合いを検出する。そして、その誤り検出数／誤り訂正数の値をもって、補正メモリ３５をアクセスする。
【００５５】
図９は本発明に係る実施例４を示す図である。
【００５６】
実施例４は、実施例２と同様の発想に基づくものである。
【００５７】
すなわち、受信映像信号Ｓｉｎに含まれるデータ誤りについての誤り検出数／誤り訂正数が時間的に変化する変化量を検出する変化量検出回路３７をさらに備え、この変化量検出回路３７の出力によって映像劣化度合いを検出する。該回路３７内の絶対値回路４２からの出力は、アドレスとして、補正メモリ３５に与えられ、前述の情報Ｂを得る。
【００５８】
図１０は本発明に係る実施例５を示す図である。
【００５９】
実施例５は主として映像劣化度合いの判定基準に関するものである。
【００６０】
本発明によれば、映像劣化度合いが大きくなると高周波成分は小さくまたはゼロにカットされる。このような状況では、ディスプレイ上の映像はぼやけて見える。この場合、ユーザによっては、（ｉ）多少映像は乱れても映像のぼやけが少ない方を好み、逆に、（ｉｉ）映像のぼやけが大きくなっても映像の乱れがない方を好む。
【００６１】
そこで上記（ｉ）または（ｉｉ）のいずれを好むか、ユーザが決定できるようにすることが望ましい。つまり映像劣化度合いの判定基準を適宜設定できることが望ましい。
【００６２】
一方、映像劣化度合いは、車両の走行速度、走行場所、および放送チャンネルによっても変動する。したがってこれらの変動に応じて映像劣化度合いの判定基準を自動的に設定できるようにすることが望ましい。
【００６３】
上記の走行速度が高まると一般にフェージングピッチは短くなり、映像劣化頻度は大となるから、上記判定基準は厳しくするのがよい。
【００６４】
同様に、受信中の上記の放送チャンネルの周波数が高まると一般にフェージングピッチは短くなり、映像劣化頻度は大となるから、上記判定基準は厳しくするのがよい。
【００６５】
さらに車両の走行場所によっても映像劣化頻度は変化することが考えられるから、これもユーザが指定できるようにするとよい。例えばビル街を走るときと、広い平坦地を走るときでは、映像劣化頻度に大きく差がでる。
【００６６】
以上のことから、実施例５においては、ＣＰＵ５１を備え、ユーザからの設定情報、当該デジタルテレビ放送受信機１を搭載する車両の走行速度情報、その車両の走行場所情報、およびユーザが受信中の放送チャンネル情報のうちの少なくとも１つの情報を、外部条件としてＣＰＵ５１に入力し、ＣＰＵ５１は、その外部条件に従って映像劣化度合いの判定基準を可変に設定するようにする。
【００６７】
以上を総合すると、量子化ステップの補正パターンを複数種補正メモリ３５内に予め格納しておき、ユーザがプリセットボタン５２を操作して、好みの補正パターンが選択できるようにしてもよい。
【００６８】
【発明の効果】
以上説明したように本発明によれば、従来のように、映像として不自然さを伴いユーザに違和感を与える前画面フリーズやメッセージ画面表示といった手法とは全く異なる手法により、受信環境の悪化時に現れる映像の乱れを、ユーザに違和感を与えることなく、目立たなくすることができる。
【図面の簡単な説明】
【図１】本発明に係る映像劣化軽減装置の基本構成を示す図である。
【図２】本発明に係る映像劣化軽減方法の基本ステップを示す図である。
【図３】デジタルテレビ放送受信機１の全体構成例を示す図である。
【図４】図３におけるブロック２０の内部を詳細に示す図である。
【図５】本発明による映像劣化軽減の様子を表す図である。
【図６】本発明に係る実施例１を示す図である。
【図７】本発明に係る実施例２を示す図である。
【図８】本発明に係る実施例３を示す図である。
【図９】本発明に係る実施例４を示す図である。
【図１０】本発明に係る実施例５を示す図である。
【符号の説明】
１…デジタルテレビ放送受信機
２…逆量子化部
３…逆直交変換部
４…チューナ
６…誤り訂正回路
１０…映像劣化軽減装置
１１…映像劣化度合い検出手段
１２…高周波成分減衰手段
２０…ＭＰＥＧビデオデコーダ
２３…逆量子化器
２５…逆ＤＣＴ変換器
２６…映像劣化度合い検出回路
３４…量子化ステップ補正部
３５…補正メモリ
３７…変化量検出回路
５１…ＣＰＵ
【図１】
2004112200.tif 000003
【図２】
2004112200.tif 000004
【図３】
2004112200.tif 000005
【図４】
2004112200.tif 000006
【図５】
2004112200.tif 000007
【図６】
2004112200.tif 000008
【図７】
2004112200.tif 000009
【図８】
2004112200.tif 000010
【図９】
2004112200.tif 000011
【図１０】
2004112200.tif 000012